(57)【要約】【課題】任意のセル内に設けた個別エリアにおいて、同一セル内における他のエリアでのトラフィックに左右されることなく、利用者に対してチャネルリソースを安定して提供できるようにする。【解決手段】基地局１で、無指向性アンテナ１１により形成される汎用セル１００内に指向性アンテナ１２により形成される専用セル１１１を設けて、専用セル固有の専用セル情報を報知し、この専用セル情報を用いた端末２５からの接続要求に応じて、当該ユーザ情報を基地局１から管理サーバ４へ通知して認証し、管理サーバ４からの無線チャネル割当指示に応じて、当該専用セル１１１のチャネルリソースを当該端末２５に対して割り当てる。【選択図】  図１
2005318359.tif 000002
【特許請求の範囲】
【請求項１】
基地局により形成されるセル内に存在する特定の端末に対して当該基地局から無線チャネルを割り当てることにより、前記端末へ特定の移動通信サービスを提供する移動通信サービスシステムにおいて、
無指向性アンテナにより汎用セルを形成して汎用セル情報を報知するとともに、指向性アンテナにより前記汎用セル内に専用セルを形成して前記汎用セルとは異なる専用セル情報を報知し、これらセルごとに個別のチャネルリソースを有する基地局と、
受信した任意のセル情報を用いて前記基地局へ無線チャネル要求を行い、これに応じて割り当てられた無線チャネルを用いて移動通信サービスを利用する端末と、
前記基地局から通知された前記端末のユーザ情報に基づいて当該端末の認証を行い、その認証成功に応じて前記基地局へ当該端末に対する無線チャネルの割り当てを指示する管理サーバとを備え、
前記基地局は、前記端末からの専用セル情報を用いた無線チャネル要求に応じて、当該無線チャネル要求で通知された当該端末のユーザ情報を前記管理サーバへ通知し、これに応じた前記管理サーバからの無線チャネル割当指示に応じて、前記専用セルのチャネルリソースを用いた特定移動通信サービス用の無線チャネルを前記端末へ割り当てることを特徴する移動通信サービスシステム。
【請求項２】
基地局により形成されるセル内に存在する特定の端末に対して当該基地局から無線チャネルを割り当てることにより、前記端末へ特定の移動通信サービスを提供する移動通信サービスシステムにおいて、
無指向性アンテナにより汎用セルを形成して汎用セル情報を報知するとともに、指向性アンテナにより前記汎用セル内に専用セルを形成して前記汎用セルとは異なる専用セル情報を報知し、これらセルごとに個別のチャネルリソースを有する基地局と、
受信した任意のセル情報を用いて前記基地局へ無線チャネル要求を行い、これに応じて割り当てられた無線チャネルを用いて移動通信サービスを利用する端末と、
前記基地局から通知された前記端末のユーザ情報に基づいて前記基地局へ当該端末に対する無線チャネルの割り当てを指示する管理サーバと、
前記管理サーバからの配信要求に応じて前記端末への特定移動通信サービスにより、任意の専用セルに対応する情報を前記端末へ配信するコンテンツサーバとを備え、
前記基地局は、前記端末からの専用セル情報を用いた無線チャネル要求に応じて、当該無線チャネル要求で通知された当該端末のユーザ情報と前記専用セル情報とを前記管理サーバへ通知し、これに応じた前記管理サーバからの無線チャネル割当指示に応じて、前記専用セルのチャネルリソースを用いた特定移動通信サービス用の無線チャネルを前記端末へ割り当て、
前記管理サーバは、前記基地局から通知された前記専用セル情報を参照して当該専用セルに対応する情報の前記端末への配信を要求することを特徴する移動通信サービスシステム。
【請求項３】
請求項１または２に記載の移動通信サービスシステムにおいて、
前記端末が利用する移動通信サービスについて課金を行う課金サーバをさらに備え、
前記管理サーバは、前記認証成功に応じて前記課金サーバへ当該端末の課金変更を要求し、
前記課金サーバは、前記課金変更要求に応じて当該端末を課金対象外に設定し、または当該端末の課金先を変更することを特徴する移動通信サービスシステム。
【請求項４】
請求項１または２に記載の移動通信サービスシステムにおいて、
前記基地局は、所定期間にのみ指向性アンテナを用いて前記専用セルを形成して、前記汎用セルで用いていたチャネルリソースの一部を前記専用セルのチャネルリソースとして融通するとともに、前記汎用セルのセル範囲を縮小し、
前記管理サーバは、前記所定期間において前記汎用セルの隣接汎用セルを形成する基地局に対して前記隣接汎用セルのセル範囲拡大を指示することを特徴する移動通信サービスシステム。
【請求項５】
基地局により形成されるセル内に存在する特定の端末に対して当該基地局から無線チャネルを割り当てることにより、前記端末へ特定の移動通信サービスを提供する移動通信サービスシステムの移動通信サービス方法において、
基地局で、無指向性アンテナにより汎用セルを形成して汎用セル情報を報知するとともに、指向性アンテナにより前記汎用セル内に専用セルを形成して前記汎用セルとは異なる専用セル情報を報知するステップと、
前記端末で、受信した前記専用セル情報を用いて前記基地局へ無線チャネル要求を行うステップと、
前記基地局で、前記端末からの専用セル情報を用いた無線チャネル要求に応じて、当該無線チャネル要求で通知された当該端末のユーザ情報を管理サーバへ通知するステップと、
前記管理サーバで、前記基地局から通知された前記端末のユーザ情報に基づいて当該端末の認証を行い、その認証成功に応じて前記基地局へ当該端末に対する無線チャネルの割り当てを指示するステップと、
前記基地局で、前記管理サーバからの無線チャネル割当指示に応じて、前記専用セルに個別のチャネルリソースを用いた特定移動通信サービス用の無線チャネルを前記端末へ割り当てるステップと、
前記端末で、前記基地局により割り当てられた無線チャネルを用いて移動通信サービスを利用するステップとを備えることを特徴する移動通信サービス方法。
【請求項６】
基地局により形成されるセル内に存在する特定の端末に対して当該基地局から無線チャネルを割り当てることにより、前記端末へ特定の移動通信サービスを提供する移動通信サービスシステムの移動通信サービス方法において、
基地局で、無指向性アンテナにより汎用セルを形成して汎用セル情報を報知するとともに、指向性アンテナにより前記汎用セル内に専用セルを形成して前記汎用セルとは異なる専用セル情報を報知するステップと、
前記端末で、受信した前記専用セル情報を用いて前記基地局へ無線チャネル要求を行うステップと、
前記基地局で、前記端末からの専用セル情報を用いた無線チャネル要求に応じて、当該無線チャネル要求で通知された当該端末のユーザ情報と前記専用セル情報とを管理サーバへ通知するステップと、
前記管理サーバで、前記基地局から通知された前記端末のユーザ情報に基づいて前記基地局へ当該端末に対する無線チャネルの割り当てを指示するステップと、
前記管理サーバは、前記基地局から通知された前記専用セル情報を参照し、コンテンツサーバに対して当該専用セルに対応する情報の前記端末への配信を要求するステップと、
前記基地局で、前記管理サーバからの無線チャネル割当指示に応じて、前記専用セルのチャネルリソースを用いた特定移動通信サービス用の無線チャネルを前記端末へ割り当てるステップと、
前記端末で、前記基地局により割り当てられた無線チャネルを用いて移動通信サービスを利用するステップと、
前記コンテンツサーバで、前記管理サーバからの配信要求に応じて、前記移動通信サービスを用いて前記専用セルに対応する情報を前記端末へ配信するステップとを備えることを特徴する移動通信サービス方法。
【請求項７】
請求項５または６に記載の移動通信サービス方法において、
前記管理サーバで、前記端末が利用する移動通信サービスについて課金を行う課金サーバに対して、前記認証成功に応じて当該端末の課金変更を要求するステップと、
前記課金サーバで、前記課金変更要求に応じて当該端末を課金対象外に設定し、または当該端末の課金先を変更するステップとをさらに備えることを特徴する移動通信サービス方法。
【請求項８】
請求項５または６に記載の移動通信サービス方法において、
前記基地局で、所定期間にのみ指向性アンテナを用いて前記専用セルを形成して、前記汎用セルで用いていたチャネルリソースの一部を前記専用セルのチャネルリソースとして融通するとともに、前記汎用セルのセル範囲を縮小するステップと、
前記管理サーバで、前記所定期間において前記汎用セルの隣接汎用セルを形成する基地局に対して前記隣接汎用セルのセル範囲拡大を指示するステップとをさらに備えることを特徴する移動通信サービス方法。
【発明の詳細な説明】
【技術分野】
【０００１】
本発明は、移動通信サービス技術に関し、特に基地局が形成するセル内に存在する複数の端末に対して無線通信サービスを提供する移動通信サービス技術に関する。
【背景技術】
【０００２】
この種の移動通信サービスシステムでは、無線周波数の有効利用を目的として、そのサービスエリアをセルと呼ばれる複数の通信エリアに分割して基地局を配置することにより、隣接しないセルで同じ無線周波数を使用可能とするセル構成が採用されている。
また、このようなセルを複数のセクタに分割することにより、さらに周波数繰り返し距離を短くして、無線周波数の有効利用をさらに高める構成もある。
【０００３】
従来、このような移動通信サービスシステムとして、セル内に指向性アンテナで形成される特定のセクタを設け、これら２つのゾーンにおける受信電波の強弱に応じて端末側でいずれのゾーンのチャネルリソースを利用するかを決定する技術が提案されている（例えば、特許文献１など参照）。
また、基地局において、複数の無指向性アンテナごとに異なる周波数を用いて同一セル内にオーバーラップして各セクタを形成し、各セクタごとに予め設定しておいたチャネル選択優先度に基づき、当該セクタで発生した呼に対してこれらセクタで共用するチャネルリソースを選択して割り当てる技術が提案されている（例えば、特許文献２など参照）。
【０００４】
なお、出願人は、本明細書に記載した先行技術文献情報で特定される先行技術文献以外には、本発明に関連する先行技術文献を出願時までに発見するには至らなかった。
【特許文献１】特開平０４−０４７７２２号公報
【特許文献２】特開平０９−０５５９７７号公報
【発明の開示】
【発明が解決しようとする課題】
【０００５】
しかしながら、このような従来の移動通信サービスシステムによれば、任意のセル内に設けた個別エリアにおいて、同一セル内における他のエリアでのトラフィックに左右されることなく、特定の利用者に対してチャネルリソースを安定して提供することができないという問題点があった。
【０００６】
例えば前述した従来技術のうち、前者によれば、端末が存在する位置での電波強弱に基づき端末側でチャネルリソースを選択するものとなっているため、その端末位置に応じて利用できるチャネルリソースが決定されてしまうという問題点がある。
また、後者によれば、予め設定されているチャネル選択優先度に基づき基地局側で端末へのチャネル割り当てを行うものとなっているため、個別エリアさらには特定利用者を限定することができず、また同一セル内における他のエリアでのトラフィックにも影響を受けるという問題点がある。
【０００７】
本発明はこのような課題を解決するためのものであり、任意のセル内に設けた個別エリアにおいて、同一セル内における他のエリアでのトラフィックに左右されることなく、利用者に対してチャネルリソースを安定して提供することができる移動通信サービスシステムおよび方法を提供することを目的としている。
【課題を解決するための手段】
【０００８】
このような目的を達成するために、本発明にかかる移動通信サービスシステムは、基地局により形成されるセル内に存在する特定の端末に対して当該基地局から無線チャネルを割り当てることにより、端末へ特定の移動通信サービスを提供する移動通信サービスシステムにおいて、無指向性アンテナにより汎用セルを形成して汎用セル情報を報知するとともに、指向性アンテナにより汎用セル内に専用セルを形成して汎用セルとは異なる専用セル情報を報知し、これらセルごとに個別のチャネルリソースを有する基地局と、受信した任意のセル情報を用いて基地局へ無線チャネル要求を行い、これに応じて割り当てられた無線チャネルを用いて移動通信サービスを利用する端末と、基地局から通知された端末のユーザ情報に基づいて当該端末の認証を行い、その認証成功に応じて基地局へ当該端末に対する無線チャネルの割り当てを指示する管理サーバとを備え、基地局で、端末からの専用セル情報を用いた無線チャネル要求に応じて、当該無線チャネル要求で通知された当該端末のユーザ情報を管理サーバへ通知し、これに応じた管理サーバからの無線チャネル割当指示に応じて、専用セルのチャネルリソースを用いた特定移動通信サービス用の無線チャネルを端末へ割り当てるようにしたものである。
【０００９】
また、本発明にかかる他の移動通信サービスシステムは、基地局により形成されるセル内に存在する特定の端末に対して当該基地局から無線チャネルを割り当てることにより、端末へ特定の移動通信サービスを提供する移動通信サービスシステムにおいて、無指向性アンテナにより汎用セルを形成して汎用セル情報を報知するとともに、指向性アンテナにより汎用セル内に専用セルを形成して汎用セルとは異なる専用セル情報を報知し、これらセルごとに個別のチャネルリソースを有する基地局と、受信した任意のセル情報を用いて基地局へ無線チャネル要求を行い、これに応じて割り当てられた無線チャネルを用いて移動通信サービスを利用する端末と、基地局から通知された端末のユーザ情報に基づいて基地局へ当該端末に対する無線チャネルの割り当てを指示する管理サーバと、管理サーバからの配信要求に応じて端末への特定移動通信サービスにより、任意の専用セルに対応する情報を端末へ配信するコンテンツサーバとを備え、基地局で、端末からの専用セル情報を用いた無線チャネル要求に応じて、当該無線チャネル要求で通知された当該端末のユーザ情報と専用セル情報とを管理サーバへ通知し、これに応じた管理サーバからの無線チャネル割当指示に応じて、専用セルのチャネルリソースを用いた特定移動通信サービス用の無線チャネルを端末へ割り当て、管理サーバで、基地局から通知された専用セル情報を参照して当該専用セルに対応する情報の端末への配信を要求するようにしたものである。
【００１０】
これら移動通信サービスシステムにおいて、端末が利用する移動通信サービスについて課金を行う課金サーバをさらに備え、管理サーバで、認証成功に応じて課金サーバへ当該端末の課金変更を要求し、課金サーバで、課金変更要求に応じて当該端末を課金対象外に設定し、または当該端末の課金先を変更するようにしてもよい。
【００１１】
また、基地局で、所定期間にのみ指向性アンテナを用いて専用セルを形成して、汎用セルで用いていたチャネルリソースの一部を専用セルのチャネルリソースとして融通するとともに、汎用セルのセル範囲を縮小し、管理サーバで、所定期間において汎用セルの隣接汎用セルを形成する基地局に対して隣接汎用セルのセル範囲拡大を指示するようにしてもよい。
【００１２】
また、本発明にかかる移動通信サービス方法は、基地局により形成されるセル内に存在する特定の端末に対して当該基地局から無線チャネルを割り当てることにより、端末へ特定の移動通信サービスを提供する移動通信サービスシステムの移動通信サービス方法において、基地局で、無指向性アンテナにより汎用セルを形成して汎用セル情報を報知するとともに、指向性アンテナにより汎用セル内に専用セルを形成して汎用セルとは異なる専用セル情報を報知するステップと、端末で、受信した専用セル情報を用いて基地局へ無線チャネル要求を行うステップと、基地局で、端末からの専用セル情報を用いた無線チャネル要求に応じて、当該無線チャネル要求で通知された当該端末のユーザ情報を管理サーバへ通知するステップと、管理サーバで、基地局から通知された端末のユーザ情報に基づいて当該端末の認証を行い、その認証成功に応じて基地局へ当該端末に対する無線チャネルの割り当てを指示するステップと、基地局で、管理サーバからの無線チャネル割当指示に応じて、専用セルに個別のチャネルリソースを用いた特定移動通信サービス用の無線チャネルを端末へ割り当てるステップと、端末で、基地局により割り当てられた無線チャネルを用いて移動通信サービスを利用するステップとを備えるものである。
【００１３】
また、本発明にかかる他の移動通信サービス方法は、基地局により形成されるセル内に存在する特定の端末に対して当該基地局から無線チャネルを割り当てることにより、端末へ特定の移動通信サービスを提供する移動通信サービスシステムの移動通信サービス方法において、基地局で、無指向性アンテナにより汎用セルを形成して汎用セル情報を報知するとともに、指向性アンテナにより汎用セル内に専用セルを形成して汎用セルとは異なる専用セル情報を報知するステップと、端末で、受信した専用セル情報を用いて基地局へ無線チャネル要求を行うステップと、基地局で、端末からの専用セル情報を用いた無線チャネル要求に応じて、当該無線チャネル要求で通知された当該端末のユーザ情報と専用セル情報とを管理サーバへ通知するステップと、管理サーバで、基地局から通知された端末のユーザ情報に基づいて基地局へ当該端末に対する無線チャネルの割り当てを指示するステップと、管理サーバは、基地局から通知された専用セル情報を参照し、コンテンツサーバに対して当該専用セルに対応する情報の端末への配信を要求するステップと、基地局で、管理サーバからの無線チャネル割当指示に応じて、専用セルのチャネルリソースを用いた特定移動通信サービス用の無線チャネルを端末へ割り当てるステップと、端末で、基地局により割り当てられた無線チャネルを用いて移動通信サービスを利用するステップと、コンテンツサーバで、管理サーバからの配信要求に応じて、移動通信サービスを用いて専用セルに対応する情報を端末へ配信するステップとを備えるものである。
【００１４】
これら移動通信サービス方法において、管理サーバで、端末が利用する移動通信サービスについて課金を行う課金サーバに対して、認証成功に応じて当該端末の課金変更を要求するステップと、課金サーバで、課金変更要求に応じて当該端末を課金対象外に設定し、または当該端末の課金先を変更するステップとをさらに備えてもよい。
【００１５】
また、基地局で、所定期間にのみ指向性アンテナを用いて専用セルを形成して、汎用セルで用いていたチャネルリソースの一部を専用セルのチャネルリソースとして融通するとともに、汎用セルのセル範囲を縮小するステップと、管理サーバで、所定期間において汎用セルの隣接汎用セルを形成する基地局に対して隣接汎用セルのセル範囲拡大を指示するステップとをさらに備えてもよい。
【発明の効果】
【００１６】
本発明によれば、端末からの専用セル情報を用いた無線チャネル要求に応じて、基地局から当該当該端末のユーザ情報が管理サーバへ通知され、管理サーバでの認証成功に応じた無線チャネル割当指示に応じて、基地局で専用セルのチャネルリソースを用いた特定移動通信サービス用の無線チャネルが端末へ割り当てられるものとなる。これにより、任意のセル内に設けた個別エリアにおいて、同一セル内における他のエリアでのトラフィックに左右されることなく、利用者に対してチャネルリソースを安定して提供することができる。
さらに、専用セルを集合住宅のエリアに設定して上記移動通信サービスシステムを利用することにより、自己の集合住宅に在住する利用者に対して、移動通信サービスにおいて特別な付加価値を提供でき、集合住宅の販売促進を目的としたビジネスモデルを構築できる。
【００１７】
また、端末からの専用セル情報を用いた無線チャネル要求に応じて、基地局から当該当該端末のユーザ情報と専用セル情報とが管理サーバへ通知され、管理サーバからの無線チャネル割当指示に応じて、基地局で専用セルのチャネルリソースを用いた特定移動通信サービス用の無線チャネルが端末へ割り当てられるとともに、管理サーバからの配信指示に応じて、コンテンツサーバから当該専用セルに対応する情報が特定移動通信サービスにより当該端末へ配信される。これにより、任意のセル内に設けた個別エリアにおいて、同一セル内における他のエリアでのトラフィックに左右されることなく、利用者に対してチャネルリソースを安定して提供することができる。
また、専用セルを商業施設のエリアに設定して上記移動通信サービスシステムを利用することにより、当該商業施設に到来した任意の利用者に対して、特定の移動通信サービスを介して当該商業施設に関する情報をスムーズに提供でき、商業施設の案内や広告の配信による購買意欲の向上を目的としたビジネスモデルを構築できる。
【発明を実施するための最良の形態】
【００１８】
次に、本発明の実施の形態について図面を参照して説明する。
［第１の実施の形態］
まず、図１を参照して、本発明の第１の実施の形態にかかる移動通信サービスシステムについて説明する。図１は、本発明の第１の実施の形態にかかる移動通信サービスシステムの構成を示すブロック図である。
この移動通信サービスシステムには、基地局１、端末２（２１〜２３，２５）、管理サーバ４、およびコアネットワーク６が設けられており、基地局１と端末２とが無線回線を介して接続され、基地局１、管理サーバ４、およびコアネットワーク６が通信網９を介して接続されている。
【００１９】
基地局１は、無線回線を介して端末２と接続して移動通信サービスを提供する装置である。この基地局１では、複数の無指向性アンテナ１１により、汎用セル１００に設けられたセクタ１０１〜１０３に存在する端末２１〜２３と無線通信を行うとともに、指向性アンテナ１２，１３により、汎用セル１００内に設けられた個別エリアからなる専用セル１１１に存在する端末２５と無線通信を行う。
【００２０】
この際、基地局１は、無指向性アンテナ１１、および指向性アンテナ１２から、対応する汎用セル１００、および専用セル１１１に対して、それぞれのセルで固有のセル情報を端末２に報知している。また、汎用セル１００、および専用セル１１１に対して、それぞれ個別のチャネルリソースを有している。なお、これらエリアで用いる周波数については、別個のものを用いてもよく、共通の周波数を用いてもよい。
【００２１】
端末２（２１〜２３，２５）は、携帯電話端末や携帯情報端末などからなり、基地局１から報知されているセル情報に基づき、基地局１に対して所望のセル情報を用いた接続要求を行い、この基地局１を介して任意の相手先とデータ通信を行う無線端末装置である。
管理サーバ４は、全体としてコンピュータからなり、基地局１から通知された接続要求端末のユーザ情報に基づき、当該ユーザの認証を行う管理装置である。
コアネットワーク６は、端末２と任意の相手先とのデータ通信を実現するネットワークである。
【００２２】
［第１の実施の形態の動作］
次に、図２を参照して、本発明の第１の実施の形態にかかる移動通信サービスシステムの動作について説明する。図２は、本発明の第１の実施の形態にかかる移動通信サービスシステムの動作を示すシーケンス図である。
本実施の形態では、この専用セル１１１内に集合住宅５１が設けられており、この集合住宅５１に在住する特定利用者の端末２５に対して、特定の移動通信サービスとして、コアネットワーク６との高速通信サービスを提供する場合について説明する。
【００２３】
まず、専用セル１１１内に位置する端末２５では、指向性アンテナ１２から専用セル１１１にのみ報知されている専用セル情報と、無指向性アンテナ１１から汎用セル１００全体に対して報知されている汎用セル情報とを受信する（ステップ２００）。したがって、専用セル１１１内では、これらいずれかのセル情報を用いて接続要求を行うことが可能となる。
端末２５は、これらセル情報のうち、予め当該端末に設定されているサービス情報に基づき、専用セル１１１に対応する専用セル情報を検出する（ステップ２０１）。
【００２４】
ここで、専用セル情報が検出された場合は、端末２５の表示部での表示により特定利用者へその旨を通知する（ステップ２０２）。これにより、特定利用者は、専用セル内での特定の移動通信サービスが利用可能なことを確認し、特定の移動通信サービスを利用する場合には、端末２５での操作により特定の移動通信サービスを利用するための接続要求を行う。
この操作に応じて、端末２５は、専用セル情報を用いた無線チャネル要求を基地局１へ送信する（ステップ２０３）。
【００２５】
なお、端末２５が専用セル１１１内に存在しない場合には、ステップ２００において専用セル情報を受信できないため、専用セル情報を用いた特定の移動通信サービスを利用するための接続要求を行うことができない。
任意の端末２が専用セル１１１内に存在する場合には、ステップ２００において端末２５と同様に、指向性アンテナ１２から専用セル１１１にのみ報知されている専用セル情報を受信する。しかし、当該端末に専用セル１１１のサービス情報が登録されていない場合、ステップ２０１において専用セル１１１の専用セル情報を検出できず、専用セル情報を用いた特定の移動通信サービスを利用するための接続要求を行うことができない。
【００２６】
基地局１は、端末２５からの無線チャネル割当要求を指向性アンテナ１２で受信し、これが特定の移動通信サービスを利用するための無線チャネル要求であることから、その無線チャネル要求で通知された端末２５および特定利用者のユーザ情報を、管理サーバ４へ通知する（ステップ２１０）。
管理サーバ４は、基地局１から通知されたユーザ情報について、予めデータベースに登録されている利用者管理情報を参照して認証を行う（ステップ２１１）。そして、専用セル１１１で提供している特定の移動通信サービスを利用可能な特定利用者であると判定された場合は、基地局１に対して無線チャネル割当指示を通知する（ステップ２１２）。
【００２７】
なお、端末のユーザ情報が、予めデータベースに登録されていない場合、特定の移動通信サービスを利用可能な特定利用者であると判定できないため、管理サーバ４から基地局１に対して無線チャネル割当無効の旨が通知され、基地局１で、当該端末に対する特定の移動通信サービスを利用するためのチャネル割り当てが行われない。
【００２８】
基地局１は、管理サーバ４からの無線チャネル割当指示に応じて、端末２５のチャネルリソースとして、専用セル１１１用のチャネルリソースから高速下りチャネルの割り当てを行い（ステップ２１３）、端末２５に対してチャネル割当完了を通知する（ステップ２１４）。
端末２５では、基地局１から通知されたチャネル割当完了に応じて、その通知で指定された高速下りチャネルを使用して、コアネットワーク６を介した任意の相手先との高速データ通信を開始し（ステップ２１５）、一連の接続要求処理を終了する。
【００２９】
このように、基地局により、無指向性アンテナにより形成されるセル内に指向性アンテナにより形成される専用セルを設けて、専用セル固有の専用セル情報を報知し、この専用セル情報を用いた端末からの接続要求に応じて、当該ユーザ情報を基地局から管理サーバへ通知して認証し、管理サーバからの無線チャネル割当指示に応じて、当該専用セルのチャネルリソースを当該端末に対して割り当てるようにしたので、任意のセル内に設けた個別エリアにおいて、同一セル内における他のエリアでのトラフィックに左右されることなく、特定の利用者に対してチャネルリソースを安定して提供することができる。
【００３０】
また、端末において、受信したセル情報から、予め登録されているサービス情報に基づき、専用セルに対応する専用セル情報を検出するようにしたので、サービス情報が登録されていない端末では、専用セル情報を検出できず、専用セル情報を用いた特定の移動通信サービスを利用するための接続要求を行うことができない。したがって、正規のサービス情報が登録されている端末に対してのみ、特定サービスを提供できる。
【００３１】
また、端末において、受信した専用セル情報を特定利用者に通知し、これに応じた特定利用者による操作に基づき、無線チャネル要求を行うようにしたので、専用セル内において、専用セル情報を用いて特定サービスを利用するか、汎用セル情報を用いて汎用セルでの一般サービスを利用するのか、特定利用者により任意に選択することができる。
【００３２】
また、基地局では、端末からの受信した専用セル情報を用いた特定の移動通信サービスを利用するための無線チャネル要求に応じて、当該ユーザ情報を管理サーバへ通知して認証を得るようにしたので、予め管理サーバの利用者管理情報に登録されていない無線チャネル要求に対して、無線チャネルの割り当ては行われない。したがって、正規の利用者管理情報が登録されている端末に対してのみ、無線チャネルが割り当てられて特定サービスを提供できる。
【００３３】
また、本実施によれば、任意の集合住宅に対して専用セルを設け、そこに在住する利用者を特定利用者として登録するようにしたので、集合住宅に在住する利用者に対してのみ、特定の移動通信サービスを提供できる。
したがって、集合住宅販売者／運営者は、このような移動通信サービスシステムを利用することにより、自己の集合住宅に在住する利用者に対して、移動通信サービスにおいて特別な付加価値を提供でき、本実施の形態により、集合住宅の販売促進を目的としたビジネスモデルを構築できる。
【００３４】
［第２の実施の形態］
次に、図３を参照して、本発明の第２の実施の形態にかかる移動通信サービスシステムについて説明する。図３は、本発明の第２の実施の形態にかかる移動通信サービスシステムの構成を示すブロック図である。なお、図３において、図１と同じまたは同等部分には同一符号を付してあり、ここでの詳細な説明は省略する。
【００３５】
本実施の形態では、前述した第１の実施の形態のシステム構成に、特定移動通信サービスの利用に対する課金を行う課金サーバ５が加えられている。この課金サーバ５は、全体としてコンピュータからなり、通信網９を介した管理サーバ４からの通知に応じて、当該利用者の課金処理を行う装置である。一般的な移動通信サービスシステムでは、サービスを利用するごとにその利用時間従量制や月極などの課金方法に基づき課金サーバ５で課金され、後日請求される。
本実施の形態では、特定移動通信サービスを提供する場合には、管理サーバ４からの通知に応じて課金サーバ５で当該利用者を課金対象外として処理するようにしたものである。
【００３６】
［第２の実施の形態の動作］
次に、図４を参照して、本発明の第２の実施の形態にかかる移動通信サービスシステムの動作について説明する。図４は、本発明の第２の実施の形態にかかる移動通信サービスシステムの動作を示すシーケンス図である。
前述した図２のステップ２００〜２０３と同様にして、端末２５から無線チャネル要求を受信した場合、基地局１０は、その無線チャネル要求で通知されたユーザ情報を管理サーバ４へ通知する（ステップ２１０）。
【００３７】
管理サーバ４は、基地局１から通知されたユーザ情報について、予めデータベースに登録されている利用者管理情報を参照して認証を行う（ステップ２１１）。そして、専用セル１１１で提供している特定の移動通信サービスを利用可能な特定利用者であると判定された場合は、課金サーバ５に対して当該ユーザ情報を含む課金変更要求を通知する（ステップ２２０）。
課金サーバ５は、管理サーバ４からの課金変更要求に応じて、当該要求で通知されたユーザ情報に対応する特定利用者を課金対象外に設定し、あるいは他の利用者へ課金先を変更し（ステップ２２１）、処理完了（ＡＣＫ）を返送する（ステップ２２２）。
【００３８】
管理サーバ４は、課金サーバ５から通知された処理完了に応じて、基地局１に対して無線チャネル割当指示を通知し（ステップ２１２）、以降、前述した図２のステップ２１３〜２１５が実行されて、端末２５で高速下りチャネルを使用して、コアネットワーク６を介した任意の相手先との高速データ通信を開始される。
【００３９】
このように、特定利用者については管理サーバ４から課金サーバ５への通知に応じて、課金変更するようにしたので、この際、特定利用者を課金対象外とすることにより、利用者に対して課金を行うことなく特定移動通信サービスを提供できる。これにより、利用者に対して、より高い付加価値を提供でき、本実施の形態により、集合住宅販売のより大きな増進を目的としたビジネスモデルを構築できる。
また、課金先を他の利用者、例えば集合住宅販売者／運営者へ変更することにより、特定利用者が利用した分の料金請求を、移動通信サービス提供者が請求できる。
【００４０】
［第３の実施の形態］
次に、図５を参照して、本発明の第３の実施の形態にかかる移動通信サービスシステムについて説明する。図５は、本発明の第３の実施の形態にかかる移動通信サービスシステムの構成を示すブロック図である。なお、図５において、図３と同じまたは同等部分には同一符号を付してあり、ここでの詳細な説明は省略する。
【００４１】
前述した各実施の形態では、専用セルの集合住宅に在住する特定利用者に対して、特定の移動通信サービスを提供する場合を例として説明した。本実施の形態では、専用セルにある商業施設に到来した利用者に対して、特定の移動通信サービスを提供する場合を例として説明する。なお、システム構成については、図３のコアネットワーク６に代えて、任意の専用セルに対応する情報を端末へ配信するコンテンツサーバ７が設けられているほかは、前述した第２の実施の形態（図３参照）と同じである。
【００４２】
［第３の実施の形態の動作］
次に、図６を参照して、本発明の第３の実施の形態にかかる移動通信サービスシステムの動作について説明する。図６は、本発明の第３の実施の形態にかかる移動通信サービスシステムの動作を示すシーケンス図である。
前述した図２のステップ２００〜２０３と同様にして、端末２５から無線チャネル要求を受信した場合、基地局１０は、その無線チャネル要求で通知されたユーザ情報を管理サーバ４へ通知する（ステップ２３０）。この際、当該専用セルを示す専用セル情報も通知する。
【００４３】
管理サーバ４は、基地局１から通知された専用セル情報を参照し（ステップ２３１）、当該専用セルでのサービス提供について利用者に課金しない設定の場合には、当該ユーザ情報を含む課金変更要求を課金サーバ５へ通知する（ステップ２３２）。
課金サーバ５は、管理サーバ４からの課金変更要求に応じて、当該要求で通知されたユーザ情報に対応する特定利用者を課金対象外に設定し、あるいは他の利用者への課金を設定し（ステップ２３３）、処理完了（ＡＣＫ）を返送する（ステップ２３４）。
【００４４】
管理サーバ４は、課金サーバ５から通知された処理完了に応じて、基地局１に対して無線チャネル割当指示を通知するとともに（ステップ２３５）、コンテンツサーバ７に対して、当該専用セル情報で特定された商業施設に関する施設情報の配信要求を通知する（ステップ２３６）。
これにより、前述した図２のステップ２１３〜２１５と等しいステップ２３７〜２３９が実行されて、端末２５で高速下りチャネルを使用して、コンテンツサーバ７から端末２５に対して当該施設に関する施設情報の配信が開始される。
【００４５】
このように、特定の専用セルからの無線チャネル要求に応じて、当該専用セルのチャネルリソースを当該端末に対して割り当てるとともに、当該専用セルに対応する情報を利用者に対して配信するようにしたので、当該専用セル以外でのトラフィックに依存することなく利用者に対してスムーズに当該専用セルに対応する情報を配信できる。
したがって、商業施設運営者は、このような移動通信サービスシステムを利用することにより、自己の商業施設に到来した任意の利用者に対して、特定の移動通信サービスを介して当該商業施設に関する情報をスムーズに提供でき、本実施の形態により、商業施設の案内や広告の配信による購買意欲の向上を目的としたビジネスモデルを構築できる。
【００４６】
［第４の実施の形態］
次に、図７を参照して、本発明の第４の実施の形態にかかる移動通信サービスシステムについて説明する。図７は、本発明の第４の実施の形態にかかる移動通信サービスシステムの動作を示す説明図である。なお、動作シーケンスについては、前述した各実施の形態を適用すればよく、ここでの詳細な説明は省略する。
【００４７】
前述した各実施の形態では、指向性アンテナによる専用セルが常時形成されるとともに、当該専用セルに基地局のチャネルリソースが予め固定的に割り当てられている場合について説明した。
本実施の形態では、任意の期間だけ専用セルを形成するとともに、当該専用セルのチャネルリソースとして汎用セルのチャネルリソースを融通し、当該汎用セルのセル範囲を縮小するともとに、隣接する汎用セルの基地局でセル範囲を拡大するようにしたものである。
【００４８】
例えば、競技場５８で試合が開催される場合、その開催期間中だけ基地局１０Ａの指向性アンテナ１２Ａで、競技場５８を対象とする専用セルを形成し、汎用セル１００Ａのチャネルリソースの一部を専用セル用に融通する。そして、基地局１０Ａでの電力調整などにより、無指向性アンテナ１１Ａで形成される汎用セル１００Ａのセル範囲を縮小して汎用セル１２０Ａを形成する。
また、管理サーバ４（図示せず）では、隣接する汎用セル１００Ｂ，１００Ｃの基地局１０Ｂ，１０Ｃに対して、セル範囲の拡大を指示する。これに応じて、基地局１０Ｂ，１０Ｃでは、電力調整などにより、汎用セル１００Ｂ，１００Ｃのセル範囲を拡大して汎用セル１２０Ｂ，１２０Ｃを形成する。
【００４９】
これにより、端末３１については、専用セル１３１で提供される移動通信サービスを利用でき、端末３２，３３については、汎用セル１２０Ａだけでなく汎用セル１２０Ｂ，１２０Ｃでの移動通信サービスも利用できる。
【００５０】
このように、汎用セル内の特定エリアに端末が偏在する場合には、その偏在期間だけ当該特定エリアに指向性アンテナを用いて専用セルを形成して、汎用セルのチャネルリソースを融通するとともに、その汎用セルのセル範囲を縮小し、隣接する汎用セルのセル範囲を拡大するようにしたので、端末の偏在による汎用セルでのチャネルリソースの不足を緩和できる。
【００５１】
なお、以上の各実施の形態では、専用セルを形成する場合、基地局に設けられた指向性アンテナで形成する場合を例として説明したが、上記指向性アンテナには、基地局から延長ケーブルを介して特定エリア付近に設けられた張り出しアンテナも含まれるものとする。これによれば、基地局に設けられた指向性アンテナでは専用セルを形成しにくい地区であっても、無線電波が良好な専用セルを形成できる。なお、張り出しアンテナを用いる場合、その設置場所が特定エリアに近いため、無指向性アンテナを用いることも可能である。したがって、専用セル形成用のアンテナについては、本発明の各請求項および各実施の形態の記載において指向性アンテナと表現しているが、この指向性アンテナという表現には、無指向性の張り出しアンテナも含まれるものとする。
【図面の簡単な説明】
【００５２】
【図１】本発明の第１の実施の形態にかかる移動通信サービスシステムの構成を示すブロック図である。
【図２】本発明の第１の実施の形態にかかる移動通信サービスシステムの動作を示すシーケンス図である。
【図３】本発明の第２の実施の形態にかかる移動通信サービスシステムの構成を示すブロック図である。
【図４】本発明の第２の実施の形態にかかる移動通信サービスシステムの動作を示すシーケンス図である。
【図５】本発明の第３の実施の形態にかかる移動通信サービスシステムの構成を示すブロック図である。
【図６】本発明の第３の実施の形態にかかる移動通信サービスシステムの動作を示すシーケンス図である。
【図７】本発明の第４の実施の形態にかかる移動通信サービスシステムの動作を示す説明図である。
【符号の説明】
【００５３】
１，１Ａ〜１Ｃ…基地局、２、２１〜２３，２５，３１〜３３…端末、４…管理サーバ、５…課金サーバ、６…コアネットワーク、７…コンテンツサーバ、９…通信網、１１，１１Ａ…無指向性アンテナ、１２，１２Ａ…指向性アンテナ、５１…集合住宅、５５…商業施設、１００，１００Ａ〜１００Ｃ，１２０Ａ〜１２０Ｃ…汎用セル、１０１〜１０３…セクタ、１１１…専用セル。
【図１】
2005318359.tif 000003
【図２】
2005318359.tif 000004
【図３】
2005318359.tif 000005
【図４】
2005318359.tif 000006
【図５】
2005318359.tif 000007
【図６】
2005318359.tif 000008
【図７】
2005318359.tif 000009